(57)【要約】【課題】着用者の腕部に密着させて係止させることができる一方、外見上はフラットなストレートタイプ（円筒形）に見えるようにしてデザイン性を向上させるようにした袖口を備えた寝衣を提供する。【解決手段】上衣（上着）と下衣（ズボン）を備える寝衣（寝巻類。例えばパジャマ）において、前記上衣は内袖ＵＳＬ１と外袖ＵＳＬとからなる２重袖口構造を有すると共に、前記内袖ＵＳＬ１の袖口ＵＳＬＭ１にゴムや伸縮性ニット生地からなる絞り部４を形成する。【選択図】図２
0003184309.tif 000002
【実用新案登録請求の範囲】
【請求項１】
上衣と下衣を備える寝衣において、前記上衣は内袖と外袖とからなる２重袖口構造を有すると共に、前記内袖の袖口に絞り部を形成したことを特徴とする寝衣。
【請求項２】
前記内袖と前記外袖は伸縮性素材または布帛からなることを特徴とする請求項１記載の寝衣。
【請求項３】
前記下衣は内裾と外裾とからなる２重裾口構造を有すると共に、前記内裾の裾口に絞り部を形成したことを特徴とする請求項１または２記載の寝衣。
【考案の詳細な説明】
【技術分野】
【０００１】
この考案は寝衣に関し、具体的には上衣と下衣を備える寝衣に関する。
【背景技術】
【０００２】
寝衣の上衣には、着用時の圧迫感を避けるため、袖口回りの寸法に余裕を持たせて設計された例えばストレートタイプ（円筒形）の袖口を備えたもの、あるいは着用時の保温性を向上させるため、袖口にゴムを挿通したり、リブ編み（ゴム編み）で編むことによって袖口を絞って着用者の腕部に密着させるようにしたスモックタイプの袖口やリブ袖などを備えたものが広く知られている。
【先行技術文献】
【特許文献】
【０００３】
【特許文献１】実用新案登録第３０９２９０４号公報
【考案の概要】
【考案が解決しようとする課題】
【０００４】
しかしながら、ストレートタイプの袖口は例えば炊事や洗顔時などに袖口が濡れないようにまくり上げても袖口回りの寸法に余裕を持たせているため、徐々に元の位置に戻ってしまう（下がってしまう）という不都合があった。
【０００５】
一方、スモックタイプの袖口やリブ袖はゴムの弾性力や生地の伸縮性によって着用時に着用者の腕部に密着させて係止させることができるため、袖口をまくり上げた際に袖口が元に戻ってしまうという不都合は生じない。しかしながら、絞り込まれてギャザーの発生した袖口のデザインを好まないユーザも多く、デザイン面での問題があった。
【０００６】
従って、この考案の目的は上記した課題を解決し、着用者の腕部に密着させて係止させることができる一方、外見上はストレートタイプに見えるようにすることでデザイン性を向上させるようにした袖口を備えた寝衣を提供することにある。
【課題を解決するための手段】
【０００７】
上記の課題を解決するために、請求項１にあっては、上衣と下衣を備える寝衣において、前記上衣は内袖と外袖とからなる２重袖口構造を有すると共に、前記内袖の袖口に絞り部を形成するように構成した。
【０００８】
請求項２に係る寝衣にあっては、前記内袖と前記外袖は伸縮性素材または布帛からなるように構成した。
【０００９】
請求項３に係る寝衣にあっては、前記下衣は内裾と外裾とからなる２重裾口構造を有すると共に、前記内裾の裾口に絞り部を形成するように構成した。
【考案の効果】
【００１０】
請求項１にあっては、上衣と下衣を備える寝衣において、上衣は内袖と外袖とからなる２重袖口構造を有すると共に、内袖の袖口に絞り部を形成するように構成したので、絞り部によって内袖の袖口を着用者の腕部に密着させて係止させることができる一方、外袖によって外見上はストレートタイプの袖口に見えるようにすることでデザイン性を向上させることができる。
【００１１】
請求項２に係る寝衣にあっては、内袖と外袖は伸縮性素材または布帛からなるように構成したので、上記した効果に加え、着心地を向上させることができる。
【００１２】
請求項３に係る寝衣にあっては、下衣は内裾と外裾とからなる２重裾口構造を有すると共に、内裾の裾口に絞り部を形成するように構成したので、上記した効果に加え、下衣の裾口においても上衣の袖口と同様、絞り部によって内裾の裾口を着用者の足首に密着させて係止させることができる一方、外裾によって外見上はストレートタイプの裾口に見えるようにすることでデザイン性を向上させることができる。
【図面の簡単な説明】
【００１３】
【図１】この考案の実施例に係る寝衣の正面図である。
【図２】図１に示す上衣の袖口を説明するための説明図である。
【図３】図１に示す下衣の裾口を説明するための説明図である。
【考案を実施するための形態】
【００１４】
以下、添付図面に即してこの考案に係る寝衣を実施するための形態について説明する。
【実施例】
【００１５】
図１はこの考案の実施例に係る寝衣の正面図である。尚、この明細書において、「上下」、「左右」または「前後」などの記載は着用者にとっての上下、左右または前後方向を意味し、「表」とは着用された寝衣において露出される側、即ち、人体に接触しない側を、「裏」とは被覆される側、即ち、人体に接触する側を意味する。
【００１６】
図１において符合Ｐは寝衣（寝巻類）、具体的にはニット等の伸縮性素材または布帛からなるパジャマを示す。パジャマＰは図１に示すように、上衣（上着）ＰＵと下衣（ズボン）ＰＬとからなる。
【００１７】
上衣ＰＵは長袖の前開きタイプであり、衿Ｅと、上衣ＰＵの左前面を構成し、複数個のボタンＢＴを備える上衣左前身頃ＵＦＬと、上衣ＰＵの右前面を構成し、複数個のボタン穴を有する上衣右前身頃ＵＦＲと、背面を構成する図示しない上衣後身頃と、上衣左前身頃ＵＦＬと上衣後身頃に縫着され、左袖口ＵＳＬＭを有する左袖ＵＳＬと、上衣右前身頃ＵＦＲと上衣後身頃に縫着され、右袖口ＵＳＲＭを有する右袖ＵＳＲとからなる。
【００１８】
尚、上記した上衣ＰＵの形状はあくまで例示であって、上衣ＰＵは前開きタイプでなくても良く、また衿Ｅがなくても良い。さらに、左右の袖ＵＳＬ，ＵＳＲは必ずしも長袖に限られるものではなく、七分袖や五分袖または半袖であっても良い。
【００１９】
下衣ＰＬはゴムが挿通されて着用者の腰部に係止されるウエスト部Ｗと、下衣ＰＬの左前面を構成する下衣左身頃ＬＦＬと、下衣ＰＬの右前面を構成する下衣右身頃ＬＦＲと、下衣左身頃ＬＦＬのほぼ膝部分から着用者の左足が露出する左裾口ＬＳＬＭまでを構成する左裾ＬＳＬと、下衣右身頃ＬＦＲのほぼ膝部分から着用者の右足が露出する右裾口ＬＳＲＭまでを構成する右裾ＬＳＲとからなる。
【００２０】
図２は上衣ＰＵの袖口ＵＳＬＭ，ＵＳＲＭ（図２では左袖口ＵＳＬＭのみ示す）を説明するための説明図であり、（ａ）は左袖口ＵＳＬＭの斜視図（説明の便宜のため、内袖ＵＳＬ１の一部を露出させて示す）、（ｂ）（ｃ）は左袖口ＵＳＬＭの概略断面図である。尚、左袖口ＵＳＬＭと右袖口ＵＳＲＭは左右対称の同一構成であるため、図２では左袖口ＵＳＬＭのみを説明し、右袖口ＵＳＲＭの説明は省略する。
【００２１】
左袖口ＵＳＬＭは図２（ａ）から（ｃ）に示すように、内袖ＵＳＬ１と、内袖ＵＳＬ１を覆うように構成された外袖（左袖）ＵＳＬとからなる２重袖口構造である。
【００２２】
内袖ＵＳＬ１は上衣ＰＵと同じ素材、即ち、伸縮性素材または布帛からなる。また、内袖ＵＳＬ１は一端側（着用者の肘や肩口方向）端部が外袖ＵＳＬの内周面（裏面）で縫着され、他端側端部が袖口ＵＳＬＭ１を構成する。より具体的には図２（ｂ）に示すように、内袖ＵＳＬ１の袖口ＵＳＬＭ１の一端側端部が外袖ＵＳＬの内周面の内袖縫着部２で縫着される。
【００２３】
内袖縫着部２から外袖ＵＳＬの袖口（左袖口）ＵＳＬＭまでの長さＬ１は例えば１０ｃｍ程度とされる。一方、内袖縫着部２から内袖ＵＳＬ１の袖口ＵＳＬＭ１までの長さＬ２は例えば６ｃｍ程度とされる。このため、内袖ＵＳＬ１の袖口ＵＳＬＭ１は外袖ＵＳＬに隠れて外見上は見えない構造となっている。従って、上衣ＰＵは外見上ストレートタイプの外袖ＵＳＬ（袖口ＵＳＬＭ）を有するように見える。
【００２４】
上衣ＰＵでは着用者の腕部に内袖ＵＳＬ１の袖口ＵＳＬＭ１が係止される必要があることから、内袖ＵＳＬ１の袖口ＵＳＬＭ１には袖口ＵＳＬＭ１の径方向に伸縮自在な絞り部４が形成される。
【００２５】
絞り部４は図２（ａ）（ｂ）に示すように、内袖ＵＳＬ１の袖口ＵＳＬＭ１の末端側（袖口ＵＳＬＭ１の先端側）の生地を折り返して縫着し、折り返すことで袖口ＵＳＬＭ１の内周または外周に沿って形成された環状の内部空間にゴム（平ゴムまたは丸ゴム）を挿通することで形成される。また、他の例として、図２（ｃ）に示すように、袖口ＵＳＬＭ１に伸縮性ニット生地を用いていわゆるリブ袖とし、これを絞り部４として構成しても良い。
【００２６】
このように、袖口ＵＳＬＭ１にゴムを挿通するか、または袖口ＵＳＬＭ１をリブ袖とすることで、袖口ＵＳＬＭ１は絞られ、ゴムの伸縮力または伸縮性ニット生地により、着用者が内袖ＵＳＬ１の袖口ＵＳＬＭ１に手を通すと袖口ＵＳＬＭ１の内周面が着用者の腕部に密着する。
【００２７】
外袖ＵＳＬは内袖ＵＳＬ１の外周側（表側）に位置し、内袖ＵＳＬ１を覆うように構成される。また、外袖ＵＳＬの袖口ＵＳＬＭにはゴムは挿通されず、またリブ袖のような伸縮性ニット生地も用いられないため、内袖ＵＳＬ１の袖口ＵＳＬＭ１のような絞り部４は形成されない。従って、外袖ＵＳＬは袖口ＵＳＬＭから肩口（上方）にかけて絞りが一切形成されない円筒形のフラットなストレートタイプとなる。
【００２８】
尚、外袖ＵＳＬの袖口ＵＳＬＭ回りの寸法は３６ｃｍから３８ｃｍ程度（寸法はサイズなどによって異なる）で形成されるが、ゴムによる絞り部４を有する内袖ＵＳＬ１の袖口ＵＳＬＭ１回りの寸法は１６ｃｍから１８ｃｍ程度に絞られる。
【００２９】
また、内袖ＵＳＬ１の袖口ＵＳＬＭ１をリブ袖とした場合の袖口ＵＳＬＭ１回りの寸法も１６ｃｍから１８ｃｍ程度に絞られる。
【００３０】
このように、内袖ＵＳＬ１の袖口ＵＳＬＭ１に絞り部４を形成し、着用者が着用したときに、絞り部４が着用者の腕部に密着して係止することから保温性を向上させることができ、また、袖口ＵＳＬＭ１をまくり上げても袖口ＵＳＬＭ１が元の位置に戻る（下がってしまう）ことがない。一方で外見上はストレートタイプの袖口ＵＳＬＭに見えるため、デザイン性にも優れる。
【００３１】
次に下衣ＰＬの裾口について説明する。図３は下衣ＰＬの裾口ＬＳＬＭ，ＬＳＲＭ（図３では左裾口ＬＳＬＭのみ示す）を説明するための説明図であり、（ａ）は左裾口ＬＳＬＭの斜視図（説明の便宜のため、内裾ＬＳＬ１の一部を露出させて示す）、（ｂ）（ｃ）は左裾口ＬＳＬＭの概略断面図である。尚、左裾口ＬＳＬＭと右裾口ＬＳＲＭは左右対称の同一構成であるため、図３では左裾口ＬＳＬＭのみを説明し、右裾口ＬＳＲＭの説明は省略する。
【００３２】
左裾口ＬＳＬＭは図３（ａ）から（ｃ）に示すように、内裾ＬＳＬ１と、内裾ＬＳＬ１を覆うように構成された外裾（左裾）ＬＳＬとからなる２重裾口構造である。
【００３３】
内裾ＬＳＬ１は上衣ＰＵや下衣ＰＬと同じ素材、即ち、伸縮性素材または布帛からなる。また、内裾ＬＳＬ１は一端側（着用者の膝側）端部が外裾ＬＳＬの内周面（裏面）で縫着され、他端側端部が裾口ＬＳＬＭ１を構成する。より具体的には図３（ｂ）に示すように、内裾ＬＳＬ１の裾口ＬＳＬＭ１の一端側端部が外裾ＬＳＬの内周面の内裾縫着部６で縫着される。
【００３４】
内裾縫着部６から外裾ＬＳＬの裾口ＬＳＬＭまでの長さＬ３は例えば１０ｃｍ程度とされる。一方、内裾縫着部６から内裾ＬＳＬ１の裾口ＬＳＬＭ１までの長さＬ４は例えば６ｃｍ程度とされる。このため、内裾ＬＳＬ１の裾口ＬＳＬＭ１は外裾ＬＳＬに隠れて外見上は見えないようになっている。従って、下衣ＰＬは外見上ストレートタイプの外裾ＬＳＬ（裾口ＬＳＬＭ）を有するように見える。
【００３５】
下衣ＰＬでは着用者の足首に内裾ＬＳＬ１の裾口ＬＳＬＭ１が係止される必要があることから、内裾ＬＳＬ１の裾口ＬＳＬＭ１には裾口ＬＳＬＭ１の径方向に伸縮自在な絞り部８が形成される。
【００３６】
絞り部８は図３（ａ）（ｂ）に示すように、内裾ＬＳＬ１の裾口ＬＳＬＭ１の末端側（裾口ＬＳＬＭ１の先端側）の生地を折り返して縫着し、折り返すことで裾口ＬＳＬＭ１の内周または外周に沿って形成された環状の内部空間にゴム（平ゴムまたは丸ゴム）を挿通することで形成される。また、図３（ｃ）に示すように、裾口ＬＳＬＭ１を伸縮性ニット生地を用いてリブ裾とし、これを絞り部８として構成しても良い。
【００３７】
裾口ＬＳＬＭ１にゴムを挿入するか、または裾口ＬＳＬＭ１をリブ裾とすることで、裾口ＬＳＬＭ１は絞られ、ゴムの伸縮力または伸縮性ニット生地により、着用者が内裾ＬＳＬ１の裾口ＬＳＬＭ１に足を通すと裾口ＬＳＬＭ１の内周面が着用者の足首に密着する。
【００３８】
外裾ＬＳＬは内裾ＬＳＬ１の外周側（表側）に位置し、内裾ＬＳＬ１を覆うように構成される。また、外裾ＬＳＬの裾口ＬＳＬＭにはゴムは挿通されず、またリブ裾のような伸縮性ニット生地も用いられないため、内裾ＬＳＬ１の裾口ＬＳＬＭ１のような絞り部８は形成されない。従って、外裾ＬＳＬは裾口ＬＳＬＭから膝方向（上方）にかけて絞りが一切形成されない円筒形のフラットなストレートタイプとなる。
【００３９】
尚、外裾ＬＳＬの裾口ＬＳＬＭ回りの寸法は４０ｃｍから４４ｃｍ程度（寸法はサイズなどによって異なる）で形成されるが、ゴムによる絞り部８を有する内裾ＬＳＬ１の裾口ＬＳＬＭ１回りの寸法は２２ｃｍから２４ｃｍ程度に絞られる。
【００４０】
また、内裾ＬＳＬ１の裾口ＬＳＬＭ１をリブ裾とした場合の裾口ＬＳＬＭ１回りの寸法も２２ｃｍから２４ｃｍ程度に絞られる。
【００４１】
このように、内裾ＬＳＬ１の裾口ＬＳＬＭ１に絞り部８を形成し、着用者が着用したときに、着用者の足首がこの絞り部８に密着して係止することから、保温性を向上させることができる。一方、内裾ＬＳＬ１の裾口ＬＳＬＭ１は絞り部８を有するものの、内裾ＬＳＬ１は外裾ＬＳＬに覆われるため、外見上はストレートタイプの裾口ＬＳＬＭに見え、デザイン性にも優れる。
【００４２】
尚、図２では左袖ＵＳＬの内側に位置する内袖ＵＳＬ１およびその袖口ＵＳＬＭ１について、また、図３では左裾ＬＳＬの内側に位置する内裾ＬＳＬ１およびその裾口ＬＳＬＭ１についてそれぞれ説明したが、上記の通り、左右の袖口と左右の裾口は互いに同一構成であるため、図示はしないが、右袖ＵＳＲの内側に位置する内袖ＵＳＲ１およびその袖口ＵＳＲＭ１も左袖ＵＳＬの内側に位置する内袖ＵＳＬ１およびその袖口ＵＳＬＭ１と同一構成であると共に、右裾ＬＳＲの内側に位置する内裾ＬＳＲ１およびその裾口ＬＳＲＭ１も左裾ＬＳＬの内側に位置する内裾ＬＳＬ１およびその裾口ＬＳＬＭ１と同一構成である。
【００４３】
以上の如く、この考案の実施例にあっては、上衣（上着）ＰＵと下衣（ズボン）ＰＬを備える寝衣（パジャマ）Ｐにおいて、前記上衣は内袖ＵＳＬ１，ＵＳＲ１と外袖ＵＳＬ，ＵＳＲとからなる２重袖口構造を有すると共に、前記内袖の袖口ＵＳＬＭ１，ＵＳＲＭ１に絞り部４を形成するように構成したので、絞り部４によって内袖ＵＳＬ１，ＵＳＲ１の袖口ＵＳＬＭ１，ＵＳＲＭ１を着用者の腕部に密着させて係止させることができる一方、外袖ＵＳＬ，ＵＳＲによって外見上はストレートタイプの袖口ＵＳＬＭ，ＵＳＲＭに見えるようにすることでデザイン性を向上させることができる。
【００４４】
また、前記内袖と前記外袖は伸縮性素材または布帛からなるように構成したので、着心地を向上させることができる。
【００４５】
また、前記下衣は内裾ＬＳＬ１，ＬＳＲ１と外裾ＬＳＬ，ＬＳＲとからなる２重裾口構造を有すると共に、前記内裾の裾口ＬＳＬＭ１，ＬＳＲＭ１に絞り部８を形成するように構成したので、下衣ＰＬの裾口ＬＳＬＭ，ＬＳＲＭにおいても上衣ＰＵの袖口ＵＳＬＭ，ＵＳＲＭと同様、絞り部８によって内裾ＬＳＬ１，ＬＳＲ１の裾口ＬＳＬＭ１，ＬＳＲＭ１を着用者の足首に密着させて係止させることができる一方、外裾ＬＳＬ，ＬＳＲによって外見上はストレートタイプの裾口ＬＳＬＭ，ＬＳＲＭに見えるようにすることでデザイン性を向上させることができる。
【００４６】
尚、内袖ＵＳＬ１，ＵＳＲ１の袖口ＵＳＬＭ１，ＵＳＲＭ１全周または内裾ＬＳＬ１，ＬＳＲ１の裾口ＬＳＬＭ１，ＬＳＲＭ１全周にわたってゴムを挿通する例を示したが、ゴムは必ずしも全周にわたって挿通する必要はなく、内周の一部にゴムを取り付けることで袖口ＵＳＬＭ１，ＵＳＲＭ１または裾口ＬＳＬＭ１，ＬＳＲＭ１を絞るようにしても良い。
【符号の説明】
【００４７】
Ｐ  パジャマ（寝衣）、ＰＵ  上衣、ＰＬ  下衣、ＵＳＬ１，ＵＳＲ１  内袖、ＵＳＬ，ＵＳＲ  外袖（左袖、右袖）、ＵＳＬＭ１，ＵＳＲＭ１  内袖の袖口、ＵＳＬＭ，ＵＳＲＭ  外袖の袖口、ＬＳＬ１，ＬＳＲ１  内裾、ＬＳＬ，ＬＳＲ  外裾（左裾、右裾）、ＬＳＬＭ１，ＬＳＲＭ１  内裾の裾口、ＬＳＬＭ，ＬＳＲＭ  外裾の裾口、４，８  絞り部
【図１】
0003184309.tif 000003
【図２】
0003184309.tif 000004
【図３】
0003184309.tif 000005